(57)【要約】【課題】十分な水密性を確保した上で、集水部材のコスト低減を図ること。【解決手段】前桁１３及び妻梁１４に配設された樋１７，１８からの水を集水部材２０で受けるようにしたバルコニーであって、集水部材２０は、柱１２の表面から周囲に向けて突出した底壁部２１と、底壁部２１の周縁部から上方に向けて突出した側壁部２２とを有し、柱１２及び前桁１３及び妻梁１４との間に集水部２０Ａを構成するものであり、底壁部２１は、入隅空間の下方を覆う主カバー部２１Ａを含み、かつ前桁１３及び妻梁１４と柱１２との連結部の下方を覆う補助カバー部２１Ｂを有し、柱１２に対向する縁部には柱１２の表面に沿って延在する当接面部２６が設けられ、底壁部２１の当接面部２６と柱１２の表面との間には予め成形されたシール材４０が介在されている。【選択図】図８
2018178537.tif 000002
【特許請求の範囲】
【請求項１】
柱に対して２つの横材が連結されるとともに、前記２つの横材の間に構成される入隅空間に集水部材が設けられ、前記横材に配設された樋からの水を集水部材で受けるようにした屋外構造体であって、
前記集水部材は、前記柱の表面から周囲に向けて突出した底壁部と、前記底壁部の周縁部から上方に向けて突出した側壁部とを有し、前記柱及び前記横材との間に集水部を構成するものであり、
前記底壁部は、前記入隅空間の下方を覆う部分を含み、かつ前記横材と前記柱との連結部の下方を覆うように設けられ、前記柱に対向する縁部には前記柱の表面に沿って延在する当接面部が設けられており、
前記底壁部の当接面部と前記柱の表面との間にはシール材が介在されていることを特徴とする屋外構造体。
【請求項２】
前記側壁部の左右の縁部には、前記横材の表面に沿って延在する当接面部が設けられており、前記側壁部の当接面部と前記柱の表面との間にはシール材が介在されていることを特徴とする請求項１に記載の屋外構造体。
【請求項３】
前記当接面部において前記シール材を設ける部分にはシール材収容部が設けられていることを特徴とする請求項１に記載の屋外構造体。
【請求項４】
前記シール材は、予め成形された定形を成すものであり、前記当接面部に接着されているとともに、前記柱の表面に圧接されていることを特徴とする請求項１〜請求項３のいずれか一つに記載の屋外構造体。
【請求項５】
前記２つの横材のうちの一方は前記柱の両側面に連結されたものであり、
前記集水部材の前記底壁部は、前記横材の一方と前記横材の他方との間に構成される２つの入隅空間に連続するように設けられ、
前記側壁部には、前記横材の他方に嵌合する凹部が設けられ、かつ前記凹部の縁部には前記横材の他方の表面に沿って延在する対向面部が設けられていることを特徴とする請求項１に記載の屋外構造体。
【請求項６】
前記底壁部において前記柱の表面に対向する部分の下縁には、前記柱の表面及び下方に開口する一連のシール塗布用凹部が設けられていることを特徴とする請求項５に記載の屋外構造体。
【請求項７】
柱に連結された２つの横材の間に構成される入隅空間に設けられ、前記横材に配設された樋からの水を受ける集水部材であって、
前記柱の表面から周囲に向けて突出した底壁部と、前記底壁部の周縁部から上方に向けて突出した側壁部とを有し、前記柱及び前記横材との間に集水部を構成するものであり、
前記底壁部は、前記入隅空間の下方を覆う部分を含み、かつ前記横材と前記柱との連結部の下方を覆うように設けられ、前記柱に対向する縁部には前記柱の表面に沿って延在する当接面部が設けられており、
前記底壁部の当接面部には、予め成形されたシール材が設けられ、
前記横材と前記柱との連結部の下方を覆う部分においては、前記側壁部が前記柱の表面に沿って延在し、かつ前記側壁部よりも内方となる部位には前記柱の表面に対して傾斜するように延在した内方側壁部が設けられていることを特徴とする集水部材。
【発明の詳細な説明】
【技術分野】
【０００１】
本発明は、バルコニー等の屋外構造体及び屋外構造体に適用される集水部材に関するものである。
【背景技術】
【０００２】
バルコニー等の屋外構造体では、デッキを支持する梁や桁等の横材に樋を設け、デッキから滴下した水を樋によって集水部材に誘導し、集水部材から縦樋を通じて地表に排水するようにしている（例えば、特許文献１参照）。
【先行技術文献】
【特許文献】
【０００３】
【特許文献１】特開２０１６−１０２３４９号公報
【発明の概要】
【発明が解決しようとする課題】
【０００４】
この種の集水部材としては、容器状のものが多く適用されている。すなわち、集水部材は、底壁部の周縁部全周に上方に向けて側壁部が設けられて構成されており、上方の開口を通じて樋からの水を内部に受け入れるようにしている。しかしながら、柱や横材に接触する部分については、必ずしも側壁部を設ける必要はなく、部材コストを考慮した場合、柱や横材に接触する部分の側壁部を省略した状態で集水部材を成形することが好ましい。
【０００５】
側壁部の一部を省略して成形した集水部材については、屋外構造体に取り付けた状態において底壁部と柱の表面との間に水密性を確保する必要がある。しかしながら、側壁部を省略した集水部材にあっては、底壁部の端面が柱の表面に当接することになるため、互いの間に単にシール材を塗布したのでは、いわゆる三角シールとなり、水密性については必ずしも十分であるとはいえない。
【０００６】
本発明は、上記実情に鑑みて、十分な水密性を確保した上で、部材コストの低減を図ることのできる集水部材及びこれを備えた屋外構造体を提供することを目的とする。
【課題を解決するための手段】
【０００７】
上記目的を達成するため、本発明に係る屋外構造体は、柱に対して２つの横材が連結されるとともに、前記２つの横材の間に構成される入隅空間に集水部材が設けられ、前記横材に配設された樋からの水を集水部材で受けるようにした屋外構造体であって、前記集水部材は、前記柱の表面から周囲に向けて突出した底壁部と、前記底壁部の周縁部から上方に向けて突出した側壁部とを有し、前記柱及び前記横材との間に集水部を構成するものであり、前記底壁部は、前記入隅空間の下方を覆う部分を含み、かつ前記横材と前記柱との連結部の下方を覆うように設けられ、前記柱に対向する縁部には前記柱の表面に沿って延在する当接面部が設けられており、前記底壁部の当接面部と前記柱の表面との間にはシール材が介在されていることを特徴とする。
【０００８】
この発明によれば、底壁部において柱に対向する縁部に当接面部が設けられ、この当接面部と柱の表面との間にシール材が介在されるため、横材の表面に接触する部分を省略して部材コストを低減でき、かつ柱の表面及びシール材との間の接触面積を大きく確保することによって水密性を確保することができる。
【０００９】
また本発明は、上述した屋外構造体において、前記側壁部の左右の縁部には、前記横材の表面に沿って延在する当接面部が設けられており、前記側壁部の当接面部と前記横材の表面との間にはシール材が介在されていることを特徴とする。
【００１０】
この発明によれば、集水部に多量の水が貯留された場合にも水密性を確保することができる。
【００１１】
また本発明は、上述した屋外構造体において、前記当接面部において前記シール材を設ける部分にはシール材収容部が設けられていることを特徴とする。
【００１２】
この発明によれば、シール材収容部により、当接面部においてシール材を設ける部分が特定されるため、常にシール材に一定の水密性を期待することができる。
【００１３】
また本発明は、上述した屋外構造体において、前記シール材は、予め成形された定形を成すものであり、前記当接面部に接着されているとともに、前記柱の表面に圧接されていることを特徴とする。
【００１４】
この発明によれば、集水部材に対して柱や横材が移動したとしてもシール材が柱の表面を適宜摺動することで圧接された状態を維持することができ、水密性が損なわれるおそれがない。
【００１５】
また本発明は、上述した屋外構造体において、前記２つの横材のうちの一方は前記柱の両側面に連結されたものであり、前記集水部材の前記底壁部は、前記横材の一方と前記横材の他方との間に構成される２つの入隅空間に連続するように設けられ、前記側壁部には、前記横材の他方に嵌合する凹部が設けられ、かつ前記凹部の縁部には前記横材の他方の表面に沿って延在する対向面部が設けられていることを特徴とする。
【００１６】
この発明によれば、隣接する２つの入隅空間に対して単一の集水部材を配設することができる。
【００１７】
また本発明は、上述した屋外構造体において、前記底壁部において前記柱の表面に対向する部分の下縁には、前記柱の表面及び下方に開口する一連のシール塗布用凹部が設けられていることを特徴とする。
【００１８】
この発明によれば、シール塗布用凹部にシール材を塗布することでシール材と柱の表面及び集水部材との接触面積を増大することができ、水密性を確保することができる。
【００１９】
また本発明に係る集水部材は、柱に連結された２つの横材の間に構成される入隅空間に設けられ、前記横材に配設された樋からの水を受ける集水部材であって、前記柱の表面から周囲に向けて突出した底壁部と、前記底壁部の周縁部から上方に向けて突出した側壁部とを有し、前記柱及び前記横材との間に集水部を構成するものであり、前記底壁部は、前記入隅空間の下方を覆う部分を含み、かつ前記横材と前記柱との連結部の下方を覆うように設けられ、前記柱に対向する縁部には前記柱の表面に沿って延在する当接面部が設けられており、前記底壁部の当接面部には、予め成形されたシール材が設けられ、前記横材と前記柱との連結部の下方を覆う部分においては、前記側壁部が前記柱の表面に沿って延在し、かつ前記側壁部よりも内方となる部位には前記柱の表面に対して傾斜するように延在した内方側壁部が設けられていることを特徴とする。
【００２０】
この発明によれば、底壁部において柱に対向する縁部に当接面部が設けられ、この当接面部と柱の表面との間にシール材が介在されるため、横材の表面に接触する部分を省略して部材コストを低減でき、かつ柱の表面及びシール材との間の接触面積を大きく確保することによって水密性を確保することができる。しかも、側壁部よりも内方となる部位に内方側壁部が設けられているため、内方側壁部を残して側壁部を切除することにより、傾斜した外形を有した集水部材を構成することができる。これにより、例えば、柱に対して傾斜するように横材が設けられている場合にも、外部に突出することなく集水部材を配設することが可能となる。
【発明の効果】
【００２１】
本発明によれば、底壁部において柱に対向する縁部に当接面部が設けられ、この当接面部と柱の表面との間にシール材が介在されるため、横材の表面に対向する部分を省略して部材コストを低減でき、かつ柱の表面及びシール材との間の接触面積を大きく確保することによって水密性を確保することができる。
【図面の簡単な説明】
【００２２】
【図１】図１は、本発明の実施の形態である集水部材を適用した屋外構造体の平面図である。
【図２】図２は、図１に示した屋外構造体を側方から見た縦断面図である。
【図３】図３は、図１に示した屋外構造体の後方から見た縦断面図である。
【図４】図４は、図１に示した屋外構造体の柱、前桁及び妻梁の連結部及びこれに適用するコーナー用集水部材の斜視図である。
【図５】図５は、図１に示した屋外構造体の柱、前桁及び中間根太の連結部及びこれに適用する中間部用集水部材の斜視図である。
【図６】図６は、図４に示したコーナー用集水部材を示すもので、（ａ）はシール材を省略した斜視図、（ｂ）はシール材を設けた斜視図である。
【図７】図７は、図１に示した屋外構造体の要部横断面図である。
【図８】図８は、図１に示した屋外構造体を側方から見た要部縦断面図である。
【図９】図９は、図１に示した屋外構造体を後方から見た要部縦断面図である。
【図１０】図１０は、図５に示した中間部用集水部材を示すもので、（ａ）はシール材を省略した斜視図、（ｂ）はシール材を設けた斜視図である。
【図１１】図１１は、図１に示した屋外構造体の要部横断面図である。
【図１２】図１２は、図１に示した屋外構造体を側方から見た要部縦断面図である。
【図１３】図１３は、図１に示した屋外構造体を後方から見た要部縦断面図である。
【図１４】図１４は、図１に示した屋外構造体の要部正面図である。
【図１５】図１５は、平面視が台形状となる屋外構造体に対して図６及び図１０に示した集水部材の適用例を示す平面図である。
【発明を実施するための形態】
【００２３】
以下、添付図面を参照しながら本発明に係る屋外構造体及び集水部材の好適な実施の形態について詳細に説明する。
【００２４】
図１〜図３は、本発明の実施の形態である集水部材を適用した屋外構造体であるバルコニーを示したものである。ここで例示するバルコニーは、建築物の上階となる部分の外壁面Ｗから突出するデッキ部１０と、デッキ部１０の周囲上面に設けた手摺り部１とを備えて構成したものである。
【００２５】
デッキ部１０は、建築物の外壁面Ｗに取り付けた躯体取付用部材１１及び地表から立設した複数の柱１２の間に複数の横材１３，１４，１５を配設することによって構成したものである。本実施の形態では、建築物の外壁面Ｗに沿って３本の柱１２を立設し、柱１２の相互間に前桁１３を配設するようにしている。両側の柱１２と躯体取付用部材１１との間には、妻梁１４を配設し、中央の柱１２と躯体取付用部材１１との間には中間根太１５が配設してある。前桁１３、妻梁１４及び中間根太１５は、それぞれがほぼ水平となるように延在し、個々の端部が柱１２の側方表面に連結してある。デッキ部１０において前桁１３、妻梁１４、中間根太１５によって囲まれる２つの矩形領域には、それぞれ複数のデッキ材１６が配設してある。デッキ材１６は、左右方向に沿って延在した板状を成すものである。なお、以下においては便宜上、バルコニーにおいて建築物の外壁面Ｗから離隔する方向を前方、建築物に近接する方向を後方と称することとする。
【００２６】
デッキ部１０を構成する柱１２、前桁１３、妻梁１４、中間根太１５は、それぞれアルミニウム合金等の金属によって成形した押し出し形材である。本実施の形態では、中空の角筒状に構成した柱１２、前桁１３、妻梁１４、中間根太１５を適用している。このうち、柱１２は断面がほぼ正方形状を成すように構成してある一方、前桁１３、妻梁１４、中間根太１５は断面が縦長の長方形状を成すように構成してある。デッキ材１６は、ほぼ水平となるように載置したもので、左右両端部がそれぞれ妻梁１４の側面及び中間根太１５の側面から離隔し、かつ前端縁部が前桁１３の側面から離隔するように配置してある。
【００２７】
前桁１３においてデッキ材１６に対向する側面にはそれぞれ桁樋１７が設けてあり、妻梁１４及び中間根太１５においてデッキ材１６に対向する側面にはそれぞれ梁樋１８が設けてある。桁樋１７は、妻梁１４と中間根太１５との間においてデッキ材１６から前方に落下した水を受けるもので、前桁１３の長手に沿ってほぼ水平に延在している。それぞれの桁樋１７は、両端部がいずれも開口しており、受け入れた水を両端部から排出することが可能である。梁樋１８は、桁樋１７よりも下方において妻梁１４及び中間根太１５の長手に沿ってほぼ水平に延在しており、前桁１３と躯体取付用部材１１との間においてデッキ材１６から左右に落下した水を受けるとともに、桁樋１７の開口端から落下した水を受けることが可能である。それぞれの梁樋１８は、両端部がいずれも閉塞してあり、図４及び図５に示すように、個々の前端部下面に設けた排水孔１８ａを介してのみ排水できるように構成してある。
【００２８】
また、このバルコニーには、図３〜図５に示すように、前桁１３と妻梁１４との間に構成される入隅空間に対してそれぞれコーナー用集水部材２０が設けてあるとともに、前桁１３と中間根太１５との間に構成される２つの入隅空間に対して単一の中間部用集水部材３０が設けてある。コーナー用集水部材２０及び中間部用集水部材３０は、梁樋１８の排水孔１８ａから落下した水を受けるためのもので、それぞれ樹脂によって一体に成形した底壁部２１，３１及び側壁部２２，３２を有して構成してある。以下、これらコーナー用集水部材２０及び中間部用集水部材３０の構成について説明し、併せて本願発明の特徴部分について詳述する。なお、本実施の形態のコーナー用集水部材２０は、左右で同一構成のものを適用しているため、一方についてのみ説明し、もう一方については同一の符号を付すこととする。
【００２９】
コーナー用集水部材２０の底壁部２１は、図４、図６〜図９に示すように、主カバー部２１Ａと２つの補助カバー部２１Ｂとを有したものである。主カバー部２１Ａは、前桁１３と妻梁１４との間に構成される入隅空間に対してその下方を覆うように配置される部分であり、入隅空間の断面形状に対応して略扇形状に構成してある。この主カバー部２１Ａには、排水口２１ａ及び縦樋接続筒２１ｂが設けてある。排水口２１ａは、主カバー部２１Ａのほぼ中央となる位置に開口した円形の孔である。縦樋接続筒２１ｂは、排水口２１ａの開口周縁部から下方に突出した円筒状部分である。補助カバー部２１Ｂは、柱１２と前桁１３との連結部及び柱１２と妻梁１４との連結部に対してそれぞれの下方を覆うように配置される部分である。これらの補助カバー部２１Ｂは、主カバー部２１Ａの２つの直線部分を一辺としてほぼ正方形状を成すように構成してあり、入隅を構成するそれぞれの辺部分（以下、入隅辺部分２１ｃという）を介して柱１２の２つの側方表面に当接することが可能である。図からも明らかなように、２つの補助カバー部２１Ｂは、それぞれ主カバー部２１Ａよりも高い位置となるように構成してある。
【００３０】
コーナー用集水部材２０の側壁部２２は、主カバー部２１Ａ及び補助カバー部２１Ｂの周縁部からそれぞれ上方に向けて突出したものである。主カバー部２１Ａの側壁部（以下、主側壁部２２Ａという）は、補助カバー部２１Ｂとの連結部分を除いた周縁部に設けてあり、補助カバー部２１Ｂの側壁部（以下、補助側壁部２２Ｂという）は、入隅辺部分２１ｃ及び主カバー部２１Ａとの連結部分を除いた周縁部に設けてある。補助側壁部２２Ｂは、突出高さが主側壁部２２Ａよりも小さくなるように構成してあり、補助カバー部２１Ｂを前桁１３の下面及び妻梁１４の下面に対向させた場合にこれら前桁１３及び妻梁１４の下面に対して隙間なく当接することが可能である。
【００３１】
主側壁部２２Ａは、補助側壁部２２Ｂを前桁１３の下面及び妻梁１４の下面に当接させた場合に梁樋１８の下面に当接することのできる突出高さを有している。主側壁部２２Ａの両側縁部は、補助カバー部２１Ｂの入隅辺部分２１ｃをそれぞれ柱１２の側方表面に当接させた場合に前桁１３の側面及び妻梁１４の側面に当接するように構成してある。主側壁部２２Ａの左右の両縁部には、それぞれ当接面部２３が設けてある。当接面部２３は、補助カバー部２１Ｂの入隅辺部分２１ｃを柱１２の側方表面に当接させた場合に前桁１３の側面及び妻梁１４の側面に沿って延在するもので、側壁部２２の外周側及び内周側のそれぞれに突出するように構成してある。図からも明らかなように、当接面部２３において側壁部２２よりも内周側に突出する内周部分２３ａは、外周側に突出する外周部分２３ｂに対して前桁１３や妻梁１４の側面からの距離がわずかに大きくなるように構成してある。
【００３２】
またコーナー用集水部材２０には、補助カバー部２１Ｂにシール材収容部２４、内方側壁部２５及び当接面部２６が設けてある。シール材収容部２４は、三方が周壁２４ａに囲まれた矩形の凹状部分であり、開口となる部分を当接面部２３の内周部分２３ａに対向させた状態で補助カバー部２１Ｂの上面に設けてある。シール材収容部２４の内部には、周壁２４ａよりも高さの低いリブ２４ｂを複数設けることによって台状部が設けてある。内方側壁部２５は、補助カバー部２１Ｂの上面から上方に向けて立設したもので、補助側壁部２２Ｂと同じ高さとなるように構成してある。この内方側壁部２５は、入隅辺部分２１ｃと、入隅辺部分２１ｃに対して直角方向に延在する突出辺部分２１ｄとの交点となる部分から入隅辺部分２１ｃに対して平行に延在する平行辺部分２１ｅに向けて延在したもので、突出辺部分２１ｄから漸次離隔するように傾斜している。図には明示していないが、補助側壁部２２Ｂと内方側壁部２５とによって囲まれる三角形状を成す部分には、補助カバー部２１Ｂの上面及び補助側壁部２２Ｂの内周側表面において内方側壁部２５との境界となる位置に切り離し用の溝が形成してある。
【００３３】
補助カバー部２１Ｂの当接面部２６は、それぞれの入隅辺部分２１ｃの縁部を柱１２の側方表面に当接させた場合に柱１２の側方表面に沿って延在するもので、入隅辺部分２１ｃの縁部から上方側及び下方側のそれぞれに突出するように構成してある。図からも明らかなように、当接面部２６において入隅辺部分２１ｃよりも上方側に突出する上方部分２６ａは、下方側に突出する下方部分２６ｂに対して柱１２の側部表面からの距離がわずかに大きくなるように構成してある。図からも明らかなように、入隅辺部分２１ｃと突出辺部分２１ｄとの交点となる部分については、上方部分２６ａと下方部分２６ｂとが同一の平面上に位置するように構成してある。
【００３４】
主側壁部２２Ａの縁部に設けた当接面部２３の内周部分２３ａ及び補助カバー部２１Ｂに設けた当接面部２６の上方部分２６ａには、それぞれシール材４０が配設してある。シール材４０は、弾性を有した水密材によって予め厚板状に成形したもので、両面テープ等の接着手段によって個々の当接面部２３，２６に取り付けてある。主側壁部２２Ａの当接面部２３に設けたシール材４０は、その下端部がほぼ直角に屈曲し、補助カバー部２１Ｂに設けたシール材収容部２４に配設してある。補助カバー部２１Ｂに設けたシール材４０は、２つの当接面部２６にわたって一連となるものが適用してある。
【００３５】
中間部用集水部材３０の底壁部３１は、図５、図１０〜図１４に示すように、主カバー部３１Ａと２つの補助カバー部３１Ｂとを有したものである。主カバー部３１Ａは、柱１２と中間根太１５との連結部に対してその下方を覆うように配置される部分と、２つの前桁１３と中間根太１５との間に構成される入隅空間に対してそれぞれの下方を覆うように配置される部分とを互いに連結したものである。この主カバー部３１Ａには、排水口３１ａ及び縦樋接続筒３１ｂが設けてある。排水口３１ａは、主カバー部３１Ａにおいて中間根太１５の下方を覆う位置に開口した円形の孔である。縦樋接続筒３１ｂは、排水口３１ａの開口周縁部から下方に突出した円筒状部分である。
【００３６】
補助カバー部３１Ｂは、柱１２と前桁１３との連結部に対してそれぞれの下方を覆うように配置される部分であり、ほぼ正方形状を成すように構成してある。図からも明らかなように、これら２つの補助カバー部３１Ｂの間には、柱１２を嵌合することのできる矩形状の隙間が確保してある。また、２つの補助カバー部３１Ｂは、それぞれ主カバー部３１Ａよりも高い位置となるように構成してある。
【００３７】
中間部用集水部材３０の側壁部３２は、主カバー部３１Ａ及び補助カバー部３１Ｂの周縁部からそれぞれ上方に向けて突出したものである。主カバー部３１Ａの側壁部（以下、主側壁部３２Ａという）は、柱１２に接触する部分及び補助カバー部３１Ｂとの連結部分を除いた周縁部に設けてあり、補助カバー部３１Ｂの側壁部（以下、補助側壁部３２Ｂという）は、柱１２に接触する部分及び主カバー部３１Ａとの連結部分を除いた周縁部に設けてある。補助側壁部３２Ｂは、突出高さが主側壁部３２Ａよりも小さくなるように構成してあり、補助カバー部３１Ｂを前桁１３の下面に対向させた場合に前桁１３の下面に対して隙間なく当接することが可能である。
【００３８】
主側壁部３２Ａは、中間根太１５に対応する部分に嵌合凹部３２ａを有したもので、この嵌合凹部３２ａに中間根太１５を配置し、かつ補助側壁部３２Ｂを前桁１３の下面に当接させた場合に梁樋１８の下面に当接することのできる突出高さを有している。主側壁部３２Ａの左右の両縁部は、２つの補助カバー部３１Ｂの間に柱１２を嵌合させた状態で主カバー部３１Ａの縁部を柱１２の側部表面に当接させた場合にそれぞれ前桁１３の側面に当接するように構成してある。主側壁部３２Ａの左右の両縁部及び嵌合凹部３２ａの縁部には、それぞれ当接面部３３，３４が設けてある。主側壁部３２Ａの当接面部３３は、前桁１３の側面に沿って延在するもので、側壁部３２の外周側及び内周側のそれぞれに突出するように構成してある。図からも明らかなように、当接面部３３において側壁部３２よりも内周側に突出する内周部分３３ａは、外周側に突出する外周部分３３ｂに対して前桁１３の側面からの距離がわずかに大きくなるように構成してある。嵌合凹部３２ａの当接面部３４は、三方の縁部から主側壁部３２Ａの外周側に向けて突出したもので、それぞれが平板状に構成してある。
【００３９】
また中間部用集水部材３０には、主カバー部３１Ａに当接面部３５が設けてあり、補助カバー部３１Ｂにシール材収容部２４、内方側壁部２５及び当接面部３６が設けてある。主カバー部３１Ａの当接面部３５は、２つの補助カバー部３１Ｂの間において柱１２に対向する縁部から上方に向けて突出したものである。この当接面部３５は、突出縁部が補助側壁部３２Ｂと同一の高さとなるように構成してある。また当接面部３５において柱１２に対向する面は、主側壁部３２Ａに設けた当接面部３３の内周部分３３ａにおいて前桁１３の側面に対向する面と同一平面上に位置している。シール材収容部２４及び内方側壁部２５は、コーナー用集水部材２０に設けたものと同一の構成を有しているため、同一の符号を付してそれぞれの説明を省略する。補助カバー部３１Ｂの当接面部３６は、柱１２の側方表面に対向する縁部から上方に向けて突出したものである。この当接面部３６は、突出高さが補助側壁部３２Ｂと同一となるように構成してある。
【００４０】
主側壁部３２Ａの縁部に設けた当接面部３３の内周部分３３ａ及び主カバー部３１Ａに設けた当接面部３５には、それぞれシール材４０が配設してある。シール材４０は、コーナー用集水部材２０のものと同様の構成を有したものであり、両面テープ等の接着手段によって個々の当接面部３３，３５に取り付けてある。主側壁部３２Ａの当接面部３３に設けたシール材４０は、その下端部がほぼ直角に屈曲し、補助カバー部３１Ｂに設けたシール材収容部２４に配設してある。なお、図中の符号３７は、主カバー部３１Ａと補助カバー部３１Ｂとの間に設けたスリットを有する隔壁部である。
【００４１】
さらに、中間部用集水部材３０には、シール塗布用凹部３８が設けてある。シール塗布用凹部３８は、図１４に示すように、主カバー部３１Ａに設けた当接面部３５の下縁及び両側縁部に沿って形成してあるとともに、補助カバー部３１Ｂに設けた当接面部３６の下縁に沿って形成した一連の凹部である。このシール塗布用凹部３８は、２つの補助カバー部３１Ｂの間に柱１２を嵌合させた場合に、柱１２の側部表面との間に断面が矩形の凹溝を形成するように構成してある。
【００４２】
これらコーナー用集水部材２０及び中間部用集水部材３０は、それぞれの当接面部２３，２６，３３，３４，３５，３６を介して柱１２、前桁１３、妻梁１４、中間根太１５に当接させるとともに、適宜位置の当接面部２３，２６，３３，３４を介して柱１２、前桁１３、妻梁１４、中間根太１５にネジを螺合することにより、これら柱１２、妻梁１４、中間根太１５との間に上方に開口した集水部２０Ａ，３０Ａを構成する。それぞれの集水部材２０，３０の縦樋接続筒２１ｂ，３１ｂには、地表に達するように縦樋５０が連結される。中間部用集水部材３０については、シール塗布用凹部３８に硬化性を有したシール材４０′を充填し、硬化性シール材４０′を柱１２の側部表面に接触させた状態で硬化させるようにしている。
【００４３】
上記のように構成したコーナー用集水部材２０及び中間部用集水部材３０を備えるバルコニーによれば、デッキ材１６から落下した雨水等の水は、桁樋１７及び梁樋１８によって受け取られた後、梁樋１８に沿って前方に誘導される。梁樋１８によって前方に誘導された水は、梁樋１８の排水孔１８ａから落下して集水部２０Ａ，３０Ａに受け取られ、さらに排水口２１ａ，３１ａから排出された後、縦樋５０を通じて地表に誘導される。これにより、デッキ材１６から直接雨水等の水が地表に落下する事態を防止することができるようになる。また、それぞれの集水部材２０，３０は、柱１２と前桁１３との連結部の下方、柱１２と妻梁１４との連結部の下方、柱１２と中間根太１５との連結部の下方を覆う補助カバー部２１Ｂ，３１Ｂを有している。従って、前桁１３、妻梁１４、中間根太１５の中空内部に浸入した水が、柱１２との連結部から下方に落下したとしても集水部材２０，３０の補助カバー部２１Ｂ，３１Ｂによって受け止められることになり、柱１２を伝って地表に至る事態を防止することができる。これにより、柱１２と前桁１３との連結部、柱１２と妻梁１４との連結部、柱１２と中間根太１５との連結部に対してそれぞれ硬化性を有したシール材を塗布する必要がなくなり、バルコニーを組み立てる上で作業性の向上を図ることも可能となる。
【００４４】
しかも、それぞれの集水部材２０，３０は、柱１２や前桁１３、妻梁１４、中間根太１５に接触する部分の側壁部を省略して成形したものであるため、部材コストの点で有利となる。さらに、底壁部２１，３１において柱１２に対向する縁部に当接面部２６，３６を設け、この当接面部２６，３６と柱１２の側部表面との間にシール材４０を介在させるようにしている。このため、集水部材２０，３０及び柱１２の側部表面に対してシール材４０との接触面積を大きく確保することができ、所望の水密性を確保することが可能となる。加えて、シール材４０として予め成形されたものを集水部材２０，３０に取り付ける一方、このシール材４０の他方の表面が柱１２に対して圧接されることになる。このため、例えば、バルコニーに人が乗った時の荷重に起因して柱１２と前桁１３、妻梁１４、中間根太１５とが相対変位し、これによって柱１２と集水部材２０，３０との間に相対変位が生じたとしても、シール材４０が柱１２の側部表面上を適宜摺動することで圧接した状態を維持することができ、水密性に影響を与えるおそれがない。なお、中間部用集水部材３０においては、補助カバー部３１Ｂの相互間に柱１２が嵌合されるため、補助カバー部３１Ｂに設けた当接面部３６にシール材４０を貼り付けた状態で柱１２に嵌合させることが困難となる。しかしながら、中間部用集水部材３０においては、柱１２の側部表面に対向する部分に断面が矩形となるシール塗布用凹部３８を設け、このシール塗布用凹部３８に硬化性シール材４０′を塗布して硬化させるようにしている。従って、中間部用集水部材３０及び柱１２の側部表面に対して硬化性シール材４０′との接触面積を大きく確保することができ、三角シールとなる事態を防止できるため、水密性が損なわれるおそれがない。
【００４５】
また、実施の形態のバルコニーにあっては、主側壁部２２Ａ，３２Ａの当接面部２３，３３と柱１２の側部表面との間にもシール材４０を介在させるようにしている。従って、豪雨等の影響によって集水部２０Ａ，３０Ａに多量の水が貯留されたとしても、集水部２０Ａ，３０Ａの水が外部に漏出する事態を招来することがない。なお、桁樋１７に受け止められた水が端部から梁樋１８に落下する際に、一部の水が桁樋１７の下面を伝って移動し、梁樋１８を超えた位置において下方に落下するおそれがある。しかしながら、桁樋１７の下面を伝って下方に落下した水が仮に主側壁部２２Ａ，３２Ａの当接面部２３，３３と柱１２との間に落下したとしても、集水部材２０，３０の主側壁部２２Ａ，３２Ａにおいて前桁１３の側面に当接する当接面部２３，３３のシール材４０が機能し、外部に漏水する事態を防止できる。
【００４６】
ところで、バルコニーを設ける場所としては、必ずしも平面視が矩形であるとは限らず、図１５に示すように、平面視が台形状の部分に設けられる場合もある。こうしたバルコニーにあっては、柱１２に連結する前桁１３が建築物の外表面に対して傾斜するため、上述の集水部材２０，３０を取り付けた場合、補助カバー部２１Ｂ，３１Ｂの一部が前桁１３よりも前方に突出するおそれがある。しかしながら、上述の集水部材２０，３０によれば、補助カバー部２１Ｂ，３１Ｂにおいて補助側壁部２２Ｂ，３２Ｂよりも内方となる部位に傾斜した内方側壁部２５を設けるようにしている。従って、図１５に示すように、内方側壁部２５を残し、突出している補助側壁部２２Ｂ，３２Ｂを切り離し用の溝に沿って切除すれば、柱１２の側部表面に対して傾斜した外形を有する集水部材２０，３０を構成することができる。これにより、前桁１３から補助カバー部２１Ｂ，３１Ｂの一部が外部に露出する事態を防止し、補助カバー部２１Ｂ，３１Ｂが直接降雨に晒される事態を防止することができる。
【００４７】
なお、上述した実施の形態では、屋外構造体としてバルコニーを例示しているが、その他の屋外構造体にも適用することが可能である。また、妻梁１４の間に中間根太１５を備えた屋外構造体を例示しているが、必ずしも中間根太を有している必要はない。この場合、集水部材としては、中間部用集水部材３０を設ける必要はなく、コーナー用集水部材２０のみを設ければ良いのはいうまでもない。また、中間根太１５と柱１２及び前桁１３との連結部分に専用の中間部用集水部材３０を設けるようにしているため、作用性の点で有利となるが、個別にコーナー用集水部材２０を設けることも可能である。さらに、集水部材２０，３０にシール材収容部２４を設けるようにしているため、当接面部２３，３３においてシール材４０を設ける位置が正確に規定されることになり、常にシール材４０に一定の水密性を期待することができるが、必ずしもシール材収容部を設ける必要はない。
【符号の説明】
【００４８】
１２  柱、１３  前桁、１４  妻梁、１５  中間根太、１７  桁樋、１８  梁樋、２０，３０  集水部材、２０Ａ，３０Ａ  集水部、２１，３１  底壁部、２１Ａ，３１Ａ  主カバー部（２つの横材の間に構成される入隅空間の下方を覆う部分）、２１Ｂ，３１Ｂ  補助カバー部（横材と柱との連結部の下方を覆う部分）、２２，３２  側壁部、２３，２６，３３，３４，３５，３６  当接面部、２４  シール材収容部、２５  内方側壁部、３８  シール塗布用凹部、４０  シール材、４０′  硬化性シール材
【図１】
2018178537.tif 000003
【図２】
2018178537.tif 000004
【図３】
2018178537.tif 000005
【図４】
2018178537.tif 000006
【図５】
2018178537.tif 000007
【図６】
2018178537.tif 000008
【図７】
2018178537.tif 000009
【図８】
2018178537.tif 000010
【図９】
2018178537.tif 000011
【図１０】
2018178537.tif 000012
【図１１】
2018178537.tif 000013
【図１２】
2018178537.tif 000014
【図１３】
2018178537.tif 000015
【図１４】
2018178537.tif 000016
【図１５】
2018178537.tif 000017